(57)【要約】  本発明は、高周波蛍光灯バラストによる動作に適しているＬＥＤ置換えランプであって、ＬＥＤの直列配置を有するＬＥＤ負荷ＬＳと、第１のランプ端部回路であって、高周波蛍光灯バラストに含まれる第１のランプ接続端子に対する接続のための第１のランプピンＬＰ１及び第２のランプピンＬＰ２、並びに前記第２のランプピンに結合される少なくとも１つの入力端子と、前記ＬＥＤ負荷の対応する端部に結合されている第１の出力端子及び第２の出力端子とを有する第１の整流器Ｄ１―Ｄ４；Ｄ１，Ｄ２であって、一方が第１のコンデンサＣ１により短絡されている少なくとも２つの前記ダイオードを有する第１の整流器Ｄ１―Ｄ４；Ｄ１，Ｄ２を有する第１のランプ端部回路と、第２のランプ端部回路であって、高周波蛍光灯バラストに含まれる第２のランプ接続端子に対する接続のための第３のランプピンＬＰ３及び第４のランプピンＬＰ４、並びに前記第４のランプピンに結合される少なくとも１つの入力端子と、前記ＬＥＤ負荷の対応する端部に結合されている第１の出力端子及び第２の出力端子とを有する第２の整流器Ｄ５―Ｄ８；Ｄ５、Ｄ６であって、一方が第２のコンデンサＣ２により短絡されている少なくとも２つのダイオードを有する第２の整流器Ｄ５―Ｄ８；Ｄ５、Ｄ６を有する第２のランプ端部回路とを有し、前記第１のコンデンサ及び前記第２のコンデンサは、前記第２のランプピンと前記第４のランプピンとの間に結合されている直列配置を形成する、高周波蛍光灯バラストによる動作に適しているＬＥＤ置換えランプに関する。
2015511386.tif 000002
【特許請求の範囲】
【請求項１】
蛍光灯バラストによる動作に適しているＬＥＤ置換えランプであって、
ＬＥＤの直列配置を有するＬＥＤ負荷と、
第１のランプ端部回路であって、
高周波の前記蛍光灯バラストに含まれる第１のランプ接続端子に対する接続のための第１のランプピン及び第２のランプピン、及び
前記第２のランプピンに結合されている少なくとも１つの入力端子と前記ＬＥＤ負荷の対応する端部に結合されている第１の出力端子及び第２の出力端子とを備える第１の整流器であって、一方が第１のコンデンサに短絡されている少なくとも２つのダイオードを有する第１の整流器、
を有する第１のランプ端部回路と、
第２のランプ端部回路であって、
前記高周波の蛍光灯バラストに含まれている第２のランプ接続端子に対する接続のための第３のランプピン及び第４のランプピン、及び
前記第４のランプピンに結合されている少なくとも１つの入力端子と前記ＬＥＤ負荷の対応する端部に結合されている第１の出力端子及び第２の出力端子とを備える第２の整流器であって、一方が第２のコンデンサにより短絡されている少なくとも２つのダイオードを有する第２の整流器、
を有する第２のランプ端部回路と、
を有し、前記第１のコンデンサ及び前記第２のコンデンサは、前記第２のランプピンと前記第４のランプピンとの間に結合される直列配置を形成する、ＬＥＤ置換えランプ。
【請求項２】
第１のフィルタキャパシタが前記第１の整流器の前記出力端子間に結合されており、第２のフィルタコンデンサが前記第２の整流器の前記出力端子間に結合されている、請求項１に記載のＬＥＤ置換えランプ。
【請求項３】
前記第１の整流器は、４つのダイオードを有していると共に、前記第１のランプ端部回路の対応する前記ランプピンに結合されている第１の入力端子及び第２の入力端子を有し、前記第１のコンデンサは、前記第１の整流器の前記第１の入力端子と前記第１の出力端子との間に結合されており、
前記第１のランプ端部回路は、前記第１の整流器の前記第２の入力端子と前記第２の出力端子との間に結合される第３のコンデンサを有し、
前記第２の整流器は、４つのダイオードを有しているフルブリッジ整流器であって、前記第２のランプ端部回路の対応する前記ランプピンに結合されている第１の入力端子及び第２の入力端子を有し、
前記第２のコンデンサは、前記第２の整流器の前記第１の入力端子と前記第１の出力端子との間に結合され、前記第２のランプ端部回路は、前記第２の整流器の前記第２の入力端子と第２の出力端子との間に結合された第４のコンデンサを有し、
前記第３のコンデンサ及び前記第４のコンデンサは、前記第１のランプピンを前記第３のランプピンに接続する直列配置を形成する、
請求項１に記載のＬＥＤ置換えランプ。
【請求項４】
前記第１のランプ端部回路の２つの前記ランプピンは第１のフィラメントエミュレーション回路により接続され、前記第２のランプ端部回路の２つの前記ランプピンは第２のフィラメントエミュレーション回路により接続される、請求項１、２又は３に記載のＬＥＤ置換えランプ。
【請求項５】
前記第１のフィラメントエミュレーション回路及び前記第２のフィラメントエミュレーション回路は、各々、ヒュージスタを有する請求項４に記載のＬＥＤ置換えランプ。
【請求項６】
前記第１のフィラメントエミュレーション回路は、２つのヒュージスタを有する直列配置であり、 前記第１の整流器は２つのダイオードを含んでおり、前記２つのダイオードのコモン端子は前記２つのヒュージスタ間の端子に接続されており、
前記第２のフィラメントエミュレーション回路は２つのヒュージスタを有する直列配置であり、前記第２の整流器は２つのダイオードを含んでおり、前記２つのダイオードのコモン端子は前記２つのヒュージスタ間の端子に接続されている、請求項４又は５に記載のＬＥＤ置換えランプ。
【請求項７】
前記ＬＥＤ負荷を囲んでいる透明な円筒状ランプ容器を備える、請求項１乃至６の何れか一項に記載のＬＥＤ置換えランプであって、
前記第１のランプ負荷回路及び第２のランプ負荷回路は、前記第１のランプ端部回路に含まれる２つの前記ランプピンを備えている第１のランプ口金と、前記第２のランプ端部回路に含まれる２つの前記ランプピンを備えている第２のランプ口金とを有する、ＬＥＤ置換えランプ。
【請求項８】
前記ＬＥＤ負荷の電圧は、前記蛍光灯バラストが設計されている蛍光灯の燃焼電圧よりも低い、請求項１に記載のＬＥＤ置換えランプ。
【請求項９】
高周波蛍光灯バラストからＬＥＤ負荷を給電するための方法であって、
ＬＥＤの直列配置を有する前記ＬＥＤ負荷を設けるステップと、
第１の対のランプピン及び第２の対のランプピンを設け、各対を前記高周波蛍光灯バラストのランプ接続端子に接続するステップと、
前記対のランプピン間に存在する電圧を整流するステップと、
整流された前記電圧から前記ＬＥＤ負荷に給電するステップと、
前記第１の対のランプピンと前記第２の対のランプピンとの間の容量接続を設けるステップと、
を有する方法。
【発明の詳細な説明】
【技術分野】
【０００１】
本発明は、蛍光バラスト、より詳細には、高周波数の蛍光灯バラストによる動作に適しているＬＥＤ置換えランプ（LED replacement lamp）に関する。ＬＥＤ置換えランプは、蛍光灯のように、前記ＬＥＤ置換えランプが蛍光灯バラストに直接的に結合されることができるように、ランプピンを備えている。
【背景技術】
【０００２】
蛍光灯は、非常に成功している光源であった。これらは、膨大な規模で使用されている。実際、人工光の６０％以上は、今日、蛍光灯により生成されている。しかしながら、近年、ＬＥＤ照明技術が急速に開発され、ＬＥＤ置換えランプによる蛍光灯の置換えが、ＬＥＤランプの高い効率及びＬＥＤランプの長い寿命のために魅力的なものとなっている。
【０００３】
様々なＬＥＤ置換えランプが、今日、市場に出ている。このようなＬＥＤ置換えランプの実施例は、米国特許第２０１１１２１７５６号に開示されている。
【０００４】
適切な動作のために、これらの置換えランプの殆どは、バラストを取り出すか又はバラストを迂回することによる、蛍光灯治具の再配線を必要とする。しかしながら、蛍光灯照明器具をアップグレードする最も容易な方法は、蛍光灯を取り出し、これをＬＥＤ置換えランプに置き換えることによるものである。この場合、治具の再配線又は開くことは、必要とされない。
【０００５】
ＬＥＤは、蛍光灯より効率的である（より高いルーメン／ワット）。更に、ＬＥＤ置換え管に含まれているＬＥＤは、ＬＥＤ置換えランプが管の周辺全てにおいて光を照射している蛍光灯よりも非常に高い光学効率を有するように、ＬＥＤ置換え管の光の殆どを下方に照射している。結果として、例えば、３２ワットの公称電力を有する４フィートの蛍光灯が、自身の下に位置される机に同量の光を生成するＬＥＤ置換えランプと置き換えられる場合、当該ＬＥＤ置換えランプの電力消費は、ＬＥＤの現在の効率に基づいて、ほぼ２０―２５ワットである。ＬＥＤ置換えランプの電力消費は、ＬＥＤの効率が将来的に増大する場合、更に減少する。ＬＥＤ置換えランプにより消費される電力と、蛍光灯ドライバがこのために設計されている蛍光灯により消費される電力との間の違いを扱うことは、ＬＥＤ置換えランプの設計の鍵となる挑戦である。
【０００６】
米国特許第２０１１１２１７５６号に開示されているＬＥＤ置換えランプにおいて、ＬＥＤ置換えランプは、蛍光灯バラストにより供給される高周波電圧から直流電流を生成するために整流器及びＬＣフィルタを備えている。
【発明の概要】
【発明が解決しようとする課題】
【０００７】
しかしながら、米国特許第２０１１１２１７５６号は、ＬＥＤ置換えランプにより消費される電力が高周波蛍光灯バラストにより出力される電力より低いことを確実にするための如何なる特徴も開示していない。
【０００８】
本発明の目的は、比較的少数の構成要素を有しているＬＥＤ置換えランプであって、蛍光灯を置き換える、及び当該蛍光灯のために高周波蛍光灯バラストが設計されている蛍光灯よりも少ない電力を消費するために、蛍光灯バラスト、好ましくは高周波蛍光灯バラストのランプ接続端子に直接的に接続されることができるＬＥＤ置換えランプを提供することにある。
【課題を解決するための手段】
【０００９】
本発明の第１の見地によれば、高周波蛍光灯バラストによる動作に適している、ＬＥＤ置換えランプであって、
ＬＥＤの直列配置を有しているＬＥＤ負荷と、
第１のランプ端部回路であって、
高周波蛍光灯バラスト内に含まれる第１のランプ接続端子への接続のための第１のランプピン及び第２のランプピン、及び
前記第１のランプピンに結合された少なくとも１つの入力端子と、前記ＬＥＤ負荷の対応する端部に結合されている第１の出力端子及び第２の出力端子とを備えている第１の整流器であって、少なくともが第１のコンデンサにより短絡されている（shunted）少なくとも２つのダイオードを有している、第１の整流器、
を有する第１のランプ端部回路と、
第２のランプ端部回路であって、
高周波蛍光灯バラストに含まれている第２のランプ接続端子に対する接続のための第３のランプピン及び第４のランプピン、及び
第３のランプピンに結合されている少なくとも１つの入力端子と、ＬＥＤ負荷の対応する端部に結合されている第１の出力端子及び第２の出力端子とを備える第２の整流器であって、少なくとも一方が第２のコンデンサにより短絡されている少なくとも２つのダイオードを有している第２の整流器、
を有する第２のランプ端部回路と、
を有するＬＥＤ置換えランプにおいて、
第１のコンデンサ及び第２のコンデンサが、第２のランプピンと第４のランプピンとの間に結合される直列配置を形成している、
ＬＥＤ置換えランプが提供される。
【００１０】
最初に、本発明のＬＥＤ置換えランプは、好ましくは、高周波蛍光灯バラストと組み合わされて使用されるが、電磁蛍光灯バラストと組み合わせて使用されることもできることに留意されたい。電磁バラストにより動作される場合、ランプはより多くの光を生成するが、高周波蛍光灯バラストにより動作される場合よりも多くの電力を消費する。以下の記載において、ＬＥＤ置換えランプが高周波蛍光灯バラストと組み合わされて使用されると仮定されている。
【００１１】
本発明のＬＥＤ置換えランプの動作の間、第１の整流器及び第２の整流器は、高周波蛍光灯バラストにより供給される高周波数交流電圧をＬＥＤ負荷に給電する直流電圧に整流する。第１のコンデンサ及び第２のコンデンサの直列配置は、動作の間の交流電流を伝達するストリングを形成する。結果として、蛍光灯バラストにより生成される電流の一部のみが、ＬＥＤ負荷により担持され、この結果、ＬＥＤ置換えランプにより消費される電力は、高周波蛍光灯バラストにより供給される電力よりも低く、高周波蛍光灯バラストがこのために設計されている蛍光灯の公称電力よりも低い。結果として、エネルギは節約される。
【００１２】
本発明の更なる見地によれば、高周波蛍光灯バラストからＬＥＤ負荷を給電するための方法であって、
ＬＥＤの直列配置を有するＬＥＤ負荷を設けるステップと、
第１の対のランプピン及び第２の対のランプピンを設け、各対を高周波蛍光灯バラストのランプ接続端子に接続するステップと、
ランプピンの前記対間に存在する電圧を整流するステップと、
整流された前記電圧からＬＥＤ負荷に給電するステップと、
前記第１の対のランプピンと前記第２の対のランプピンとの間に容量接続を設けるステップと、
を有する方法が提供される。
【００１３】
本発明のＬＥＤ置換えランプの第１の好ましい実施例において、ＬＥＤ負荷電圧は、高周波蛍光灯バラストがこのために設計されている蛍光灯の燃焼電圧よりも低い。
【００１４】
多くのランプバラストが、多かれ少なかれ定電流源として振る舞うので、ＬＥＤ置換えランプの電力は、ＬＥＤ負荷電圧を蛍光灯の燃焼電圧よりも低く選択することによって、蛍光灯バラストがこのために設計されている蛍光灯の電力よりも低いものにされることができる。ＬＥＤ置換えランプの電力を蛍光灯により消費される電力に対して減少させるこの仕方は、高周波バラストにより生成される電流の一部を担持するＬＥＤ置換えランプに含まれるコンデンサの使用と組み合わせて使用されても良く、この結果、電流は、ＬＥＤ負荷を通って流れない。ＬＥＤ置換えランプにより消費される電力を減少させるこれらの２つの機構は、ＬＥＤ置換えランプの回路を微調整するための２つの自由度を提供する。
【００１５】
本発明のＬＥＤ置換えランプの他の好ましい実施例として、第１のフィルタコンデンサは、第１の整流器の出力端子間に結合されており、第２のフィルタコンデンサは、第２の整流器の出力端子間に結合されている。これらのコンデンサの両方は、ＬＥＤ負荷の両端に存在する整流された電圧内に存在する高周波リップルを低減させるのに役立つ。
【００１６】
本発明のＬＥＤ置換えランプの更に他の好ましい実施例において、第１のランプ端部回路の２つのランプピンは、第１のフィラメントエミュレーション回路により接続され、そして、第２のランプ端部回路の２つのランプピンは、第２のフィラメントエミュレーション回路により接続される。フィラメントエミュレーション回路は、単に、標準的な蛍光灯のフィラメント抵抗と類似の抵抗を有する抵抗器でも良い。このようなフィラメントエミュレーション回路の存在は、フィラメント検出回路を備えている幾つかの蛍光灯バラストに対して必要である。好ましくは、第１のフィラメントエミュレーション回路及び第２のフィラメントエミュレーション回路は、各々、ヒュージスタを有する。この後者の場合、ＬＥＤ置換えランプは、第１の対及び第２の対のランプピンの本線の電圧への直接的な誤った接続に対しても効果的に保護されている。更に好ましくは、第１のフィラメントエミュレーション回路は２つのヒュージスタを有する直列配置であり、第１の整流器は２つのダイオードを含み、２つのダイオードのコモン端子は２つのヒュージスタ間の端子に接続され、第２のフィラメントエミュレーション回路は２つのヒュージスタを有する直列配置であり、第２の整流器は２つのダイオードを含み、２つのダイオードのコモン端子は２つのヒュージスタ間の端子に接続されている。この後者の構成において、ヒュージスタは、ＬＥＤ置換えランプにおける高過ぎる電流からも保護する。
【００１７】
本発明のＬＥＤ置換えランプの更なる好ましい実施例において、第１の整流器は、４つのダイオードを有しているフルブリッジ整流器であって、第１のランプ端部回路の対応するランプピンに結合されている第１の入力端子及び第２の入力端子を持つフルブリッジ整流器であり、第１のコンデンサは第１の整流器の第１の入力端子と第１の出力端子との間に結合され、第１のランプ端部回路は第１の整流器の第２の入力端子と第２の出力端子との間に結合される第３のコンデンサを有しており、第２の整流器は、４つのダイオードを有しているフルブリッジ整流器であって、第２のランプ端部回路の対応するランプピンに結合されている第１の入力端子及び第２の入力端子を持つフルブリッジ整流器であり、第２のコンデンサは、第２の整流器の第１の入力端子と第１の出力端子との間に結合され、第２のランプ端部回路は、第２の整流器の第２の入力端子と第２の出力端子との間に結合される第４のコンデンサを有し、第３のコンデンサ及び第４のコンデンサは、第２のランプピンを第３のランプピンに接続している直列配置を形成する。
【００１８】
本発明のＬＥＤ置換えランプの更なる好ましい実施例が、電極エミュレーション回路を有する場合、これらの回路における電力消失は本発明のＬＥＤ置換えランプの実施例における前記電力消失よりも小さく、前記整流器は、２つのダイオードのみを有する。
【００１９】
本発明のＬＥＤ置換えランプの更に他の好ましい実施例において、ＬＥＤ置換えランプは、ＬＥＤ負荷並びに第１のランプ端部回路及び第２のランプ端部回路を囲んでいる透明な円筒状ランプ容器を備えていると共に、第１のランプ端部回路に含まれる２つのランプピンを備えている第１のランプ口金と、第２のランプ端部回路に含まれる２つのランプピンを備えている第２のランプ口金とを有する。ランプ容器及びランプ口金は、ＬＥＤ負荷及び第１のランプ端部回路及び第２のランプ端部回路を塵及び埃を含まないように保持し、従ってランプ寿命を向上するのに役立つ。
【図面の簡単な説明】
【００２０】
【図１】本発明によるＬＥＤ置換えランプの第１の実施例の概略図を示している。
【図２】本発明によるＬＥＤ置換えランプの第２の実施例の概略図を示している。
【図３】本発明によるＬＥＤ置換えランプの第３の実施例の概略図を示している。
【図４】分流コンデンサを有しランプを短絡している直列配置の総静電容量の関数としてランプ電力を示している。
【発明を実施するための形態】
【００２１】
図１において、ＬＶは、第１端部におけるランプ口金ＬＣ１及び第２端部におけるランプ口金ＬＣ２に接続されている透明な円筒状ガラス又はプラスチックのランプ容器である。ランプ口金ＬＣ１は２つのランプピンＬＰ１及びＬＰ２を備えており、ランプ口金ＬＣ２は、ランプピンＬＰ３及びＬＰ４を備えている。ランプピンＬＰ１及びＬＰ２は、それぞれ、ダイオードＤ１―Ｄ４により形成されるフルブリッジ整流器の第１の入力端子及び第２の入力端子に接続されている。この実施例において、このフルブリッジ整流器は、第１の整流器を形成する。ランプピンＬＰ１及びＬＰ２は、更に、ヒュージスタ（fusistor）Ｆ１により形成される電極エミュレーション回路により接続される。整流器のダイオードＤ４及びダイオードＤ２は、それぞれ、コンデンサＣ１及びコンデンサＣ３によって短絡されている。従って、コンデンサＣ１は、第１の整流器の第１の入力端子及び第１の出力端子を接続しており、コンデンサＣ３は、第１の整流器の第２の入力端子を第２の出力端子に接続している。第１の整流器の第１の出力端子は、フィルタコンデンサＣｆによって、第１の整流器の第２の出力端子に接続されている。ランプピンＬＰ１及びＬＰ２、ヒュージスタＦ１、ダイオードＤ１―Ｄ４、コンデンサＣ１、Ｃ３及びＣｆは、一緒に第１のランプ端部回路を形成する。第１のランプ端部回路は、プリント回路基板ＰＣＢ１上に取り付けられる。
【００２２】
ランプピンＬＰ３及びＬＰ４は、ダイオードＤ５―Ｄ８により形成されるフルブリッジ整流器の第１の入力端子及び第２の入力端子に接続されている。この実施例において、このフルブリッジ整流器は、第２の整流器を形成する。ランプピンＬＰ３及びＬＰ４は、更に、ヒュージスタＦ２により形成される電極エミュレーション回路により接続される。第２の整流器のダイオードＤ８及びダイオードＤ５は、それぞれ、コンデンサＣ２及びコンデンサＣ４により短絡されている。従って、コンデンサＣ２は、第２の整流器の第１の入力端子及び第１の出力端子を接続し、コンデンサＣ３は、第２の整流器の第２の入力端子を第２の出力端子に接続する。第２の整流器の第１の出力端子は、フィルタコンデンサＣｆ''によって第２の整流器の第２の出力端子に接続されている。ランプピンＬＰ３及びＬＰ４、ヒュージスタＦ２、ダイオードＤ５―Ｄ８、コンデンサＣ２、Ｃ４及びＣｆ''は、一緒に第２のランプ端部回路を形成する。第２のランプ端部回路は、プリント回路基板ＰＣＢ３上に取り付けられる。
【００２３】
第１の整流器の出力端子及び第２の整流器の出力端子は、導体により接続される。ＬＳは、第１の整流器の出力端子間に接続されると共に、第２の整流器の出力端子間にも接続されるＬＥＤストリングにより形成されるＬＥＤ負荷である。ＬＥＤ負荷ＬＳは、プリント回路基板ＰＣＢ２上に取り付けられる。
【００２４】
図１に示されるＬＥＤ置換えランプの動作は、以下の通りである。ランプピンＬＰ１―ＬＰ４がランプ存在検出を備えている高周波蛍光灯バラストのランプ接続端子に接続される場合、ランプ存在検出回路は、ランプ電極の存在を検出しようとする。標準的な蛍光灯が高周波蛍光灯バラストに接続される場合、ランプフィラメントは起動電流を担持する。ランプが接続されていない場合、起動電流は流れず、高周波蛍光灯バラストは、ランプ接続端子に高周波電圧を供給しない。図１に示されるＬＥＤ置換えランプの場合、高周波蛍光灯バラストがランプ接続端子に対して、従ってランプピンに対しても高周波電圧を供給するように、起動電流はヒュージスタにより担持される。この電圧は、第１の整流器及び第２の整流器により整流され、整流された電圧は、フィルタコンデンサＣｆ及びＣｆ''の両端及びＬＥＤ負荷の両端において、整流器の各々の出力端子間に存在する。整流された電圧は、直流電流がＬＥＤ負荷ＬＳを通って流れるようにする。コンデンサＣ１及びコンデンサＣ２の直列配置がランプピンＬＰ２及びＬＰ４間に流れる交流電流を担持すると同時に、コンデンサＣ３及びＣ４の直列配置は、ランプピンＬＰ１及びＬＰ３間に流れる交流電流を担持する。結果として、高周波蛍光灯バラストにより生成される全ての電流がＬＥＤ負荷により担持されるというわけではなく、当該電流の一部はコンデンサＣ１―Ｃ４により担持される。更に、ＬＥＤ負荷電圧は、一般に、高周波蛍光灯バラストがこのために設計されている蛍光灯の負荷電圧よりも低く選択される。
【００２５】
従って、ＬＥＤ負荷は、高周波蛍光灯バラストがこのために設計されている蛍光灯の公称電力よりも低い電力を消費する。ＬＥＤは、所与の消費電力に関して蛍光灯より多くの光を生じ、ＬＥＤ置換えランプは非常に高い光学効率を有するので、ランプの下に位置されている机の表面に対して同じ光強度を生じるが、蛍光灯よりはるかに少ないエネルギを消費するように、ＬＥＤ置換えランプを設計することが可能である。従って、ＬＥＤ置換えランプは、エネルギを節約する可能性を提供する。
【００２６】
ＬＥＤ置換えランプの第２の実施例が、図２に示されている。図２において、図１に示された実施例に含まれている構成要素及び回路部分に対応する構成要素及び回路部分は、同一の参照符号を付されている。
【００２７】
図１に示されている実施例と図２に示されている実施例との間の違いは、後者に含まれている第１の整流器及び第２の整流器が、２つのダイオード（それぞれ、Ｄ１、Ｄ２及びＤ８、Ｄ６）のみを有することである。更に、ダイオードＤ２及びダイオードＤ８のみが、それぞれ、コンデンサＣ１及びＣ２により短絡される。フィルタコンデンサＣｆ'及びＣｆ''から離れて、他の如何なるコンデンサもＬＥＤ置換えランプに含まれていない。図２における実施例は、少ない構成要素を有するので、図１における実施例よりも安価である。
【００２８】
図２のＬＥＤ置換えランプの動作は、図１に示されたＬＥＤ置換えランプの動作と非常に類似している。違いは、幾つかのランプ構成のために、ヒュージスタがバラスト出力電流を担持する必要があるので、ヒュージスタＦ１及びＦ２における電力消失が図１に示された実施例における当該電力消失よりも大きくなり得ることである。
【００２９】
更に、ランプピン間の交流電流を担持しているコンデンサＣ１及びコンデンサＣ２の１つの直列配置のみが設けられている。
【００３０】
本発明のＬＥＤ置換えランプの第３の実施例は、図３に示される。再び、同一の符号は、対応する構成要素及び回路部分に対して使用されている。
【００３１】
図３に示されている実施例は、ヒュージスタＦ１が２つのヒュージスタＦ１及びＦ１'の直列配置に置き換えられ、かつ、ヒュージスタＦ２が２つのヒュージスタＦ２及びＦ２'の直列配置に置き換えられている点において、図２に示されている実施例と異なる。ヒュージスタＦ１及びＦ１'のコモン端子はダイオードＤ１及びＤ２のコモン端子に接続している。ヒュージスタＦ２及びＦ２'のコモン端子はダイオードＤ８及びＤ６のコモン端子に接続している。
【００３２】
図３に示された実施例の動作は、図１及び図２における実施例の動作と非常に類似している。重要な違いは、図１及び図２に示した実施例に含まれるヒュージスタは、本線の電圧がランプピンＬＰ１及びＬＰ２間又はランプピンＬＰ３及びＬＰ４間に直接的に接続される場合、損傷を防止するのみであることにある。図３に示す実施例では、ＬＥＤ置換えランプにおける高い電流に対する保護も提供されている。
【００３３】
図４は、ワットにおけるＬＥＤ置換えランプにより消費される電力を、ナノファラドにおけるランプを短絡している全体的な有効静電容量の関数として示している。図１の実施例に関するこの総有効静電容量は、一方における直列のコンデンサＣ１及びＣ２並びに他方における直列のコンデンサＣ３及びＣ４の並列配置の静電容量である。図２及び図３に示した実施例において、この総静電容量は、コンデンサＣ１及びＣ２の直列配置の静電容量である。この曲線は、共振インダクタＬｒ＝２ｍＨ、共振コンデンサＣｒ＝８．２ｎＦ、４５ｋＨｚの動作周波数、及び１キロオームの抵抗を有する抵抗器によってシミュレーションされたランプ負荷に関して見出された。
【００３４】
ＬＥＤ置換えランプにより消費される電力が、総静電容量を調整することによって、広範囲にわたって調整されることができることが分かる。
【００３５】
結論として、本発明によるＬＥＤ置換えランプは、以下の多くの重要な有利な点を有している。ＬＥＤ置換えランプは、少数の構成要素のみを有し、安価であり、対称性を有し、製造するのが比較的容易であり、大幅なエネルギ節減に非常に適している。更に、ランプを短絡する静電容量は、整流器のダイオードを短絡しているコンデンサによって実施化されている。従って、これらのコンデンサはランプ端部回路内に含まれており、この結果、プリント回路基板間の負荷的な接続は、前記短絡する静電容量に関して必要とされない。結果として、本発明のＬＥＤ置換えランプは、ランプの端部間に３本のトラックのみ、即ち第１の整流器の出力端子間及び第２の整流器の出力端子間の２つの接続、並びにＬＥＤ負荷のみが設けられているという重要な利点を有する。ＰＣＢ間の接続は脆いものであり、これらの数を最小限にすることが望ましいからである。本発明のＬＥＤ置換えランプは、蛍光灯のドロップイン置換え（即ち治具の再配線又は治具を開けることが必要でないことを意味する）に適しており、ＬＥＤ置換えランプを蛍光灯バラストのランプ接続端子に接続することのみが必要である。
【００３６】
本発明は、添付図面及び上述の記載において詳細に示され記載されたが、このような図例及び説明は、説明的なもの又は例示的なものとみなされるべきであり、限定的なものとみなされるべきではなく、本発明は、開示されている実施例に限定されるものではない。
【００３７】
開示された実施例に対する変更は、添付図面、開示及び添付の請求の範囲を熟読することにより、添付の請求項に記載された本発明を実施する歳に当業者により理解され遂行されることができる。添付の請求項において、「有する」なる語は他の要素又はステップを排除するものではなく、単数形は複数形を排除するものではない。単一のプロセッサ又は他のユニットが、請求項において詳述される幾つかの項目の機能を果たしても良い。特定の手段が、相互に異なる従属請求項において、引用されているという単なる事実は、これらの手段の組み合わせが有利になるように使用されることができないと示すものではない。
【図１】
2015511386.tif 000003
【図２】
2015511386.tif 000004
【図３】
2015511386.tif 000005
【図４】
2015511386.tif 000006
【国際調査報告】
2015511386.tif 000007
2015511386.tif 000008
2015511386.tif 000009